(57)【要約】      （修正有）【課題】物理療法器具の分野に適用可能な、電子製品等の収納用袋を提供する。【解決手段】製品本体と、その製品本体を無線制御するリモートコントローラ１０と、収納袋２０とを含む電子製品を提供する収納袋２０は、開口構造を開放する袋本体２１と、袋本体２１の開口を閉塞する収納用紐２２とを備え、袋本体２１は製品体を収納するために用いられ、収納用紐２２はリモートコントローラ１０に接続されている。【選択図】図１
0003226186.tif 000002
【実用新案登録請求の範囲】
【請求項１】
電子製品の収納袋であって、
前記電子製品を無線制御する制御動作用のリモートコントローラと、
前記電子製品を出し入れする開口部を備えた袋本体と、
前記袋本体の開口部を閉じるための収納袋用紐とを備え、
前記リモートコントローラは前記収納袋用紐に係止されており、前記袋本体は前記電子製品と前記リモートコントローラとを収納可能に構成される
ことを特徴とする電子製品の収納袋。
【請求項２】
請求項１に記載の電子製品の収納袋において、
前記リモートコントローラは、筐体と、前記電子製品を無線で制御するための制御盤とを備え、前記筐体の内部には前記収納袋用紐が挿通される収納袋用紐の配置溝が設けられる
ことを特徴とする電子製品の収納袋。
【請求項３】
請求項２に記載の電子製品の収納袋において、
前記収納袋用紐の配置溝は、前記収納袋用紐の各自由端と前記袋本体との間に位置されるように、２つ設けられる
ことを特徴とする電子製品の収納袋。
【請求項４】
請求項２に記載の電子製品の収納袋において、
前記収納袋用紐の配置溝は、外部へ開放された第一貫通孔と第二貫通孔を備え、前記第一貫通孔と第二貫通孔とは対向して配置されている
ことを特徴とする電子製品の収納袋。
【請求項５】
請求項２に記載の電子製品の収納袋において、
前記制御盤は、前記筐体の中心に位置するものとし、
前記収納袋用紐の配置溝は、前記制御盤の配置位置と重複しない位置に設けられる
ことを特徴とする電子製品の収納袋。
【請求項６】
請求項５に記載の電子製品の収納袋において、
前記収納袋用紐の配置溝は、前記制御盤の周囲に、互いに独立した二つの溝として設けられる
ことを特徴とする電子製品の収納袋。
【請求項７】
請求項２に記載の電子製品の収納袋において、
前記収納袋用紐の自由端は、前記収納袋用紐の配置溝から露出されており、前記収納袋用紐が前記収納袋用紐の配置溝から引き抜かれることを制約する規制部材を該露出部位に備える
ことを特徴とする電子製品の収納袋。
【請求項８】
請求項１に記載の電子製品の収納袋において、
前記リモートコントローラは、筐体と、前記電子製品を無線制御する制御盤とを備え、  前記筐体は、前記収納袋用紐を挿通する挿通孔を有し、前記収納袋用紐の少なくとも１つの前記袋本体から露出する部位は、前記挿通孔を介して前記筐体内に係止される
ことを特徴とする電子製品の収納袋。
【請求項９】
請求項８に記載の電子製品の収納袋において、
前記挿通孔は二つ設けられており、
前記収納袋用紐の２つの前記袋本体から露出する部位は、それぞれ相異なる前記挿通孔を介して前記筐体内に係止される
ことを特徴とする電子製品の収納袋。
【請求項１０】
請求項１乃至請求項９のいずれか一項に記載の電子製品の収納袋において、
前記収納袋は、バンドルポケットである
ことを特徴とする電子製品の収納袋。
【考案の詳細な説明】
【技術分野】
【０００１】
本考案は、電子製品の収納袋の技術フィールドに属し、特に首マッサージャーの収納携帯袋に関する。
【背景技術】
【０００２】
従来、リモート処理や遠隔操作を容易にするように、電子製品にはリモートのコントローラが備えられている。しかし、リモートのコントローラと製品本体とが別個独立して設けられるところ、リモートコントローラの大きさは電子製品本体に比較すると小さいことが多く、紛失する懸念もあった。
【０００３】
下記特許文献１には、安価で再収納可能な、携帯袋の収納方法及び携帯袋を提供することを目的とする発明が開示されている。この文献によると、１本の輪状の紐６と、紐６が挿通される挿通部７と、挿通部７の両端に開口し、紐６の一部が突出する挿通孔８と、挿通孔８が近傍に設けられた、内部に物を出し入れ可能な開口部とを有する袋本体５と、紐６に設けられ、折り畳まれた袋本体５を収納可能である、一部のみが開口された筒状の包装袋４とから構成される、携帯袋の収納方法であって、袋本体５の挿通部７近傍を紐６に沿って伸張し、展開された袋本体５を折り畳み、裏返しにされた包装袋８をめくり返し、折り畳まれた袋本体５を、袋本体５に挿通された紐６の端部で接続された包装袋８で袋本体の外側から覆い被す方法を特徴とする。
【先行技術文献】
【特許文献】
【０００４】
【特許文献１】特開２００７−３０８１５９号公報
【考案の概要】
【考案が解決しようとする課題】
【０００５】
従来技術では、電子製品の収納ボックス等は、リモートコントローラが収納袋に連結され得ることは無く、リモートコントローラの小型化に起因してリモートコントローラが紛失され易いという問題が生じていた。
【課題を解決するための手段】
【０００６】
本考案にかかる電子製品の収納袋は、電子製品を無線制御する制御動作用のリモートコントローラと、電子製品を出し入れする開口部を備えた袋本体と、袋本体の開口部を閉じるための収納袋用紐とを備え、リモートコントローラは収納袋用紐に係止されており、袋本体は電子製品とリモートコントローラとを収納可能に構成されることを特徴とする。
【０００７】
また、本考案にかかる電子製品の収納袋は、好ましくはリモートコントローラが、筐体と、電子製品を無線で制御するための制御盤とを備え、筐体の内部には収納袋用紐が挿通される収納袋用紐の配置溝が設けられることを特徴とする。
【０００８】
また、本考案にかかる電子製品の収納袋は、好ましくは収納袋用紐の配置溝が、収納袋用紐の各自由端と袋本体との間に位置されるように、２つ設けられることを特徴とする。
【考案の効果】
【０００９】
従来技術と比較して、本考案により提供される電子製品の収納袋は、リモートコントローラが収納袋に連結され得るという有益な効果を有するので、ユーザが電子製品を遠隔操作してその動作制御を容易にすることができる。この収納袋は、電子製品およびリモートコントローラを収納するために使用可能であり、保管および運搬・維持メンテナンスが容易になる。リモートコントローラと収納用紐とが接続されているので、リモートコントローラの小型化に起因してリモートコントローラが紛失され易いという問題が回避される。また、一般的な公知の収納ボックスと比較して、収納袋は軽量で質感のソフトな特性を有し、操作の不便さや不快感を効果的に低減することができる。
【図面の簡単な説明】
【００１０】
本考案の説明においては技術課題の解決をよりはっきりと説明するために、以下の説明の図面は単に考案の具体化例であって、当業者において特別な努力を追加遂行することなく他の態様がこれらの図面から得られうることが明白である。
【図１】電子製品のリモートコントローラと収納袋の間の関連を説明している図である。
【図２】リモートコントローラの構造概要と、電子製品の収納袋用紐を説明している図である。
【図３】リモートコントローラと収納袋用紐を説明する図である。
【図４】本考案の電子製品の収納袋の全体外観を説明する平面図である。
【図５】本考案の電子製品の収納袋の全体外観を説明する底面図である。
【考案を実施するための形態】
【００１１】
本考案の目的、態様、および利点は、添付の図面および実施形態に関連して行われる以下の詳細な説明からより明らかになるであろう。本明細書に記載された特定の実施形態は、本考案の単なる例示であり、本考案を限定することを意図するものではないことを理解すべきである
【００１２】
要素が別の要素に”固定された”または”配置されている”と称されるとき、他の要素に直接的にまたは間接的に固定されるまたは配置され得ることが理解されるであろう。要素が別の要素に”連結された”と称される場合、要素は他の要素に直接連結されてもよく、または、他の要素に間接的に連結されてもよい。
【００１３】
本考案の実施形態では、図２に示すｘｙｚデカルト座標系によれば、ｘ軸の正方向の一方向を正面側とし、ｘ軸の負方向の一方向を後側とし、ｙ軸の正方向の一方向を左側とし、ｙ軸の負方向の一方向を右側とし、ｚ軸の正方向の一方向を下側とする。
【００１４】
本考案は、用語”長さ”、”幅”、”上方”、”下方”、”前方”、”後方”、”左”、”右”、”内部”、”外側”などで示される配向または位置関係は、図面に示された配向または位置関係に基づくものであり、参照されたデバイスまたは素子が特定の配向を有していなければならないことを示すまたは示唆することを意図するものではなく、特定の配向で構築および操作され得、したがって、その用途を限定するものとして解釈されるべきではない。
【００１５】
さらに、用語”第１”および”第２”は、説明のためにのみ使用され、相対的な重要性を示すまたは示唆するものとして解釈されるべきではなく、または示唆される技術的特徴の数を暗黙的に示すものとして解釈されるべきではない。したがって、”第１”および”第２”として定義される特徴は、その特徴の１つまたは複数を明示的または暗黙的に含むことができる。本出願の記載において、”複数”の意味は、特に断らない限り、２つ以上である。
【００１６】
図１および図２を参照して、本実施形態は、製品本体と、その製品本体を無線制御するリモートコントローラ１０と、収納袋２０とを含む電子製品を提供する収納袋２０は、開口構造を開放する袋本体２１と、袋本体２１の開口を閉塞する収納用紐２２とを備え、袋本体２１は製品体を収納するために用いられ、収納用紐２２はリモートコントローラ１０に接続されている
【００１７】
本実施形態に係る電子製品では、リモートコントローラ１０が設けられているので、ユーザが製品本体を遠隔操作することができ、操作制御が容易となる。収納袋２０は、袋本体２１とリモートコントローラ１０とを収納乃至は保管するためのものであり、これにより維持・管理や持ち運びが容易になる。リモートコントローラ１０は、収納用紐２２に連結されており、使用時にはリモートコントローラ１０を袋本体２１から取り出して、使用後に袋本体２１に戻すことができる。
【００１８】
リモートコントローラ１０と収納用紐２２との接続構成は、着脱可能な接続部と、固定接続部と、能動的接続部とを含む。リモートコントローラ１０と収納用紐２２とが一体となるようにリモートコントローラ１０と収納用紐２２とが接続され、リモートコントローラ１０の小型化によりリモートコントローラ１０が紛失されやすくなるという問題が回避される。また、収納袋２０は、一般的な公知の収納箱と比較して軽量で柔らかい素材特性を有し、リモートコントローラ１０を収納袋２０に連結すると、リモートコントローラ１０を使用する場合に収納袋２０が持ち上げられる程度に軽量である。軟質の収納袋２０は従来公知の収納箱に対する操作の不便さや不快感を効果的に低減することができる。
【００１９】
本実施形態により提供される電子製品は、マッサージ機、物理療法器具、または他のパーソナルケア製品であってもよい。本考案の電子製品としては、特に頸椎物理療法器具に適している。既存の頸椎物理療法器具では、制御に使用される操作盤は、本体と一体に設計され、物理療法器具本体上（筐体上）に配置される。使用中に頸椎物理療法器具が襟付近の首に配置されていることに起因して、操作盤が位置する箇所が視覚的な死角領域にあり、制御操作に不便をもたらす。これに対して、リモートコントローラ１０が配置・具備されることによって、製品本体に対する操作や制御に伴う不都合を回避することができる。リモートコントローラ１０は、収納用紐２２に接続・連結されて、紛失防止効果が達成される。本出願の他の実施形態では、図１を参照すると、収納袋２０はバンドルポケットである。
【００２０】
袋本体２１は、開口部で折り曲げられて収納用紐２２の挿入貫通孔が形成・確保され、そこに収納用紐２２が挿通される。収納用紐２２の自由端は、挿入貫通孔を挿通されて貫通孔から外部へ送出される。ユーザは、収納用紐２２の２つの自由端部を外側に引っ張って袋本体２１の開口部を閉鎖し、また、ユーザは、袋本体２１を開口部において外側に開き、袋本体２１の２つの自由端部は、開口部を開くために挿入貫通孔のほうへと引き戻される。他の構造と比較して、バンドルポケットは操作するのがより便利である。
【００２１】
本考案の他の具体化例では、リモートコントローラ１０は、収納用紐２２を内部収納するための収納袋用紐の配置溝１１１を設けられた筐体１１で構成される。また、筐体１１に加えて、リモートコントローラ１０は、電子製品それ自身を無線でコントロールするための制御盤１２を含む。収納用紐２２の自由端の一方が、第１貫通孔１１２と第２貫通孔１１３を通して筐体１１とスライド摺動可能に係止され、収納用紐２２の自由端の他方が、第１貫通孔１１２と第２貫通孔１１３の各他方を通して筐体１１とスライド摺動可能に係止されることができる。収納用紐２２の自由端が共に第１貫通孔１１２と第２貫通孔１１３を通して、該紐が筐体１１中に配置されることが可能である。また、筐体１１の内部に収納用紐２２が挿通・配置可能とするように、その挿通孔や配置溝を図２に示す第１貫通孔１１２と第２貫通孔１１３等とは異なる態様で実現しても良い。
【００２２】
また、本考案の他の具体化例では、収納用紐２２の２つの自由端が、第１貫通孔１１２と第２貫通孔１１３を通して、共に筐体１１と固定的に接続される場合には、ユーザーはリモートコントローラ１０を握り、袋本体２１から離間するように紐を引き出すことができる。収納用紐２２は、袋本体２１を封閉するために可動とされるので、袋本体２１の外側において結束されたり、またはその他の態様で固定乃至係止されることができる。
【００２３】
また、本考案の具体化例を図１に基づいてさらに説明すると、収納用紐２２の両方の端が、リモートコントローラ１０を挿通・接続されて、リモートコントローラ１０が収納用紐２２の２つの端部を位置決めし、一方で収納用紐２２が袋本体２１から離れないようにデザインされているので、袋本体２１と収納用紐２２とリモートコントローラ１０の間の接続・係止を確実にする。
【００２４】
また、本考案の具体化例を図２に基づいてさらに説明すると、リモートコントローラ１０は、収納袋用紐の配置溝１１１と、及び電子製品本体を無線制御するための制御盤１２の配置スペースと、を有する筐体１１を含む。ユーザがリモートコントローラ１０と袋本体２１と左右それぞれの手で保持することによって、袋本体２１に近い位置のリモートコントローラ１０を離間するように動かすことが可能であり、これにより袋本体２１を封閉することができる。
【００２５】
また、ユーザがリモートコントローラ１０と収納用紐２２の自由端部とを左右それぞれの手で保持することによって、リモートコントローラ１０を袋本体２１にさらに近接するように摺動させることが可能であり、これにより袋本体２１を封閉することができる。そして、収納用紐２２は、袋本体２１に上述したような方法で連結されているので収納袋用紐の配置溝１１１の端部分が袋本体２１に接触して紐ストッパのように機能して、摺動が限定されて袋本体２１の封印状態は維持されることが可能である。
【００２６】
収納用紐２２の３つの自由端は、筐体１１の周囲に沿う左右一対の収納袋用紐の配置溝１１１をそれぞれ挿通されて、筐体１１内側に沿って巻回されることで、縺れたり重なり合う状況は回避できる。
【００２７】
また、収納袋用紐の配置溝１１１の２つの経路は、それぞれ第１貫通孔１１２と第２貫通孔１１３を挿通されるので、第１貫通孔１１２を通る袋本体２１および第２貫通孔１１３を通る自由端側は反対側に配置される。筐体１１の第１貫通孔１１２および第２貫通孔１１３の組み合わせにより、ユーザの一方の手で収納用紐２２の２つの自由端を同時に握ることが容易になる態様を可能にする。これと同時に、外方へ収納用紐２２を引く操作も容易に可能となる。また、第２貫通孔１１３を、図２に示す態様とは異なる他の位置に配置可能であることは、当業者に理解されるものである。
【００２８】
制御盤１２は筐体１１の中央に配置される一方、収納袋用紐の配置溝１１１は、制御盤１２の配置との重複を避けてその周囲を挿通するように、それぞれ制御盤１２の両周囲に２つの収納袋用紐の配置溝１１１が配置される。
【００２９】
筐体１１は下皿１１５を含み、下皿１１５および上蓋１１４は、固定配置される制御盤１２の収納スペースを確保するように締結される。また、収納袋用紐の配置溝１１１と第１貫通孔１１２および第２貫通孔１１３は、上蓋１１４と下皿１１５の間で形成される。
【００３０】
図２において、一対の第１貫通孔１１２および第２貫通孔１１３が設けられ、収納用紐２２の２つの自由端は、第１貫通孔１１２と第２貫通孔１１３をそれぞれ通過する。説明された構造において筐体１１が円盤状に構成されること、収納袋用紐の配置溝１１１が環状であること、第１貫通孔１１２および第２貫通孔１１３が左右周囲に分離周回されること、第１貫通孔１１２と第２貫通孔１１３が前後対向して配置されること、が理解される。
【００３１】
環状の収納袋用紐の配置溝１１１の配置によって、リモートコントロール構造が収納袋用紐の配置溝１１１により影響されないものとなり、リモートコントローラ１０の中心およびその中心的な機能（リモートコントロール機能）のリモートコントロール構造を紐が挿通される態様を避けることができる。
【００３２】
図２において、収納用紐２２の自由端は、収納袋用紐の配置溝１１１を通って外部へ露出され、収納袋用紐の配置溝１１１を介して収納用紐２２の通過を制約するストッパを有するものとなる。好ましくは、袋本体２１の開口部および第１貫通孔１１２の開口はより大きく、筐体１１の第２貫通孔１１３はより小さく構成される。また、筐体１１は堅い素材で変形されにくい剛性材料で構成され、この筐体１１に、収納用紐２２の２つの自由端は、第２貫通孔１１３を通した状態で、逆方向（紐が引き抜かれる方向）に第２貫通孔１１３を通過しないようにするために第２貫通孔１１３より大きい直径の規制片を、設けられるので、構造は簡単であるにも拘わらず実用的である。なお上記の説明では、符号１１１乃至１１５を総称して筐体１１と称している。また、収納袋用紐２２は、二つある収納袋用紐の配置溝１１１の両方に配置される必要はなく、例えば少なくともいずれか一方の収納袋用紐の配置溝１１１に配置されることで、リモートコントローラ１０が収納袋用紐２２に摺動可能に係止乃至固定されるものとしても良い。
【００３３】
本考案に係るリモートコントローラ１０及び収納袋２０ならびに両者の連携関係等は、上述の説明及び図面に示す形状・構造・態様等に限定されるものではなく、本考案の射程の範囲内において、当業者の知り得る公知または周知の手法等を用いて適宜変形しアレンジし、モディファイしてもよいものである。
【符号の説明】
【００３４】
１０・・リモートコントローラ、１１・・筐体、１１１・・収納袋用紐の配置溝、１１２・・第一貫通孔、１１３・・第二貫通孔、１２・・制御盤、１１４・・上蓋、１１５・・下皿、２０・・収納袋、２１・・袋本体、２２・・収納袋用紐。
【図１】
0003226186.tif 000003
【図２】
0003226186.tif 000004
【図３】
0003226186.tif 000005
【図４】
0003226186.tif 000006
【図５】
0003226186.tif 000007